(57)【要約】      （修正有）【課題】短期間の天気予報を生成し、また、その天気予報を表示するための利便で連携を利用する方式を提供する。【解決手段】一続きの気象情報などの気象タイムラインを連続的な時間単位で生成する、方法、装置、及び非一時的なコンピュータ読取り可能記憶媒体が提供される。例えば、タイムラインは、第１の区域的場所の第１の時間に関連付けられた第１の気象情報、第２の時間に関連付けられた第２の気象情報、及び第３の時間に関連付けられた第３の気象情報を含むことができる。第１、第２、及び第３の気象情報の少なくとも１つは、特定種類の降水が特定の強度で起こる確率を示す予想気象値を含むことができる。気象タイムラインは、特定の場所、特定の気象事象、及び／又は特定のユーザを追尾することができる。タイムラインは、関連する気象情報の観測者によって作成されたデータを含むことができる。【選択図】図６
2018066745.tif 000002
【特許請求の範囲】
【請求項１】
コンピュータによって実施される方法であって、
過去の時刻、第１の場所及び第１の気象事象に関連付けられた第１の気象情報を特定するステップと、
現在の時刻に関連付けられた第２の気象情報を特定するステップと、
将来の時刻、第２の場所及び前記第１の気象事象に関連付けられた第３の気象情報を特定するステップと、
ユーザから受け取られる観測データであって前記過去の時刻の前記第１の場所での前記第１の気象事象に関連する観測データを特定するステップと、
前記観測データ、前記第１の気象情報、前記第２の気象情報、及び前記第３の気象情報を基礎とする第１のタイムラインを表示装置に表示するために生成するステップと、
を含む方法。
【請求項２】
前記第１の気象情報、前記第２の気象情報、及び前記第３の気象情報の少なくとも１つが、第１の種類の降水が前記第１の場所で第１の強度で起こる確率を示す予想気象値を含む、請求項１に記載の方法。
【請求項３】
前記第２の気象情報が前記第１の場所に関連する、請求項１に記載の方法。
【請求項４】
前記第２の気象情報が前記第１の気象事象に関連する、請求項１に記載の方法。
【請求項５】
前記第１の気象情報、前記第２の気象情報、及び前記第３の気象情報が第１のユーザに関連する、請求項１に記載の方法。
【請求項６】
前記観測データが、
前記第１の気象事象を表す写真、
前記第１の気象事象を表す映像、
前記第１の気象事象を表すコメント又は
これらの組み合わせ
に対応する、請求項１に記載の方法。
【請求項７】
前記第１のタイムラインと共に前記表示装置に表示するために第２のタイムラインを生成するステップをさらに含み、前記第２のタイムラインは、第４の時間及び第５の時間に関連付けられた気象情報を示す情報を含む、請求項１に記載の方法。
【請求項８】
前記第１のタイムラインが前記第１の気象事象に関連付けられ、前記第２のタイムラインが、前記第１の気象事象と異なる第２の気象事象に関連付けられる、請求項７に記載の方法。
【請求項９】
前記第１のタイムラインが第１のユーザに関連付けられ、前記第２のタイムラインが、前記第１のユーザと異なる第２のユーザに関連付けられ、前記第２のタイムラインが、前記ユーザから受け取られた前記観測データをさらに基礎とする、請求項７に記載の方法。
【請求項１０】
前記第１の気象事象が、竜巻、ハリケーン、雹雲、大雨、大雪、デレチョ、及びダウンバースト、の少なくとも１つに対応する、請求項１に記載の方法。
【請求項１１】
気象タイムラインを生成する装置であって、当該装置は、
１つ又は複数のプロセッサと、
前記１つ又は複数のプロセッサ用の命令を記憶するメモリと、
通信ネットワークを介して遠隔のユーザ装置に接続する通信モジュールと、
を備え、
前記１つ又は複数のプロセッサが前記メモリに記憶された前記命令を実行すると、当該装置に、
過去の時刻、第１の場所及び第１の気象事象に関連付けられた第１の気象情報を特定するステップと、
現在の時刻に関連付けられた第２の気象情報を特定するステップと、
将来の時刻、第２の場所及び前記第１の気象事象に関連付けられた第３の気象情報を特定するステップと、
ユーザから受け取られる観測データであって前記過去の時刻の前記第１の場所での前記第１の気象事象に関連する観測データを特定するステップと、
前記観測データ、前記第１の気象情報、前記第２の気象情報、及び前記第３の気象情報を基礎とする第１のタイムラインを生成するステップと、
前記第１のタイムラインを表示装置に表示するために前記遠隔のユーザ装置に送信するステップと、
を実行させる、装置。
【請求項１２】
前記第１の気象情報、前記第２の気象情報、及び前記第３の気象情報の少なくとも１つが、第１の種類の降水が前記第１の場所で第１の強度で起こる確率を示す予想気象値を含む、請求項１１に記載の装置。
【請求項１３】
前記第２の気象情報が前記第１の場所に関連する、請求項１１に記載の装置。
【請求項１４】
前記第２の気象情報が、少なくとも、降水種類、温度レベル、又は風の強度に関連付けられた前記第１の気象事象に関連する、請求項１１に記載の装置。
【請求項１５】
前記第１の気象情報、前記第２の気象情報、及び前記第３の気象情報が前記ユーザに関連する、請求項１１に記載の装置。
【請求項１６】
前記観測データが、
前記第１の気象事象を表す写真、
前記第１の気象事象を表す映像、
前記第１の気象事象を表すコメント又は
これらの組み合わせ
に対応する、請求項１１に記載の装置。
【請求項１７】
前記装置に、前記第１のタイムラインと共に前記表示装置に表示するために第２のタイムラインを生成するステップを実行させ、前記第２のタイムラインは、第４の時間及び第５の時間に関連付けられた気象情報を基礎とする、請求項１１に記載の装置。
【請求項１８】
サーバと、通信ネットワークを介して接続された遠隔の装置と、を具備するシステムであって、
前記サーバは、コンピュータと、前記コンピュータにタイムライン生成処理を実行させるプログラムを記憶する非一時的なコンピュータ読取り可能媒体と、を備え、前記タイムライン生成処理は、
過去の時刻、第１の場所及び第１の気象事象に関連付けられた第１の気象情報を特定するステップと、
現在の時刻に関連付けられた第２の気象情報を特定するステップと、
将来の時刻、第２の場所及び前記第１の気象事象に関連付けられた第３の気象情報を特定するステップと、
ユーザから受け取られる観測データであって前記過去の時刻の前記第１の場所での前記第１の気象事象に関連する観測データを特定するステップと、
前記観測データ、前記第１の気象情報、前記第２の気象情報、及び前記第３の気象情報を基礎とする第１のタイムラインを表示装置に表示するために生成するステップと、
を含み、
前記遠隔の装置は、１つ又は複数のプロセッサと、ディスプレイと、前記１つ又は複数のプロセッサに処理を実行させるプログラムを記憶した非一時的なメモリと、を備え、前記処理は、
前記サーバから前記通信ネットワークを介して前記第１のタイムラインを取得するステップと、
前記第１のタイムラインの少なくとも一部を前記ディスプレイに表示するステップと、
を含む、システム。
【請求項１９】
請求項１〜１０のいずれか一項に記載の方法を実行するための１つ又は複数のプロセッサにより実行可能な命令を記憶している非一時的なコンピュータ読取り可能媒体。
【発明の詳細な説明】
【関連出願の相互参照】
【０００１】
[0001]本願は、本願の出願人に共有され、共同で発明された、２０１３年４月４日に出願された米国特許出願第１３／８５６，９２３号、２０１３年６月２０日に出願された米国特許出願第１３／９２２，８００号、２０１３年７月２２日に出願された米国特許出願第１３／９４７，３３１号、２０１３年６月２６日に出願された米国仮出願第６１／８３９，６７５号、２０１３年６月１６日に出願された米国仮出願第６１／８３５，６２６号、及び、２０１３年６月１９日に出願された米国仮出願第６１／８３６，７１３号に対する優先権を主張し、それらの全開示内容は参照により本明細書に組み込まれる。
【背景】
【０００２】
[0002]本明細書に開示される主題は、一般には、天気予報を生成する方法に関する。より詳細には、本開示の主題は、天気予報を生成するソフトウェアアプリケーションに関する。
【関連する従来技術】
【０００３】
[0003]従来の天気予報システムは、現在の時点から１２時間〜数日の気象予測を提供する。短期間の予報や細かい時間単位の予報を必要とする場合、入手できる最良の情報は、通常、その日についての１時間単位の予報である。
【０００４】
[0004]従来の天気予報は、その予報が生成される対象地域についての平均的な予報である。そのため、予報はその地域内の厳密な場所には正確でない場合もあり、さらには、ある地域について表示される現在の天候がその地域内の厳密な場所の実際の天候と異なる場合すらある。
【０００５】
[0005]さらに、従来の天気予報は非常に粗い時間単位で表示されるため、ユーザはある気象事象が厳密な場所と時間のうちいつ発生するかを知ることができない。１時間単位の従来の天気予報でも、ユーザは予想される気象事象が１時間続くのか、１分続くのかを知ることはできず、後者の場合は当該の１時間内でその事象がいつ発生するかを正確に知ることはできない。
【０００６】
[0006]さらに、天気予報は正確でない場合もあるが、ユーザとの対話がないためにそのことを知る手段がない。そのため、ユーザとの連携が必要とされる。
【０００７】
[0007]したがって、当市場では、短期間の天気予報を生成することが必要とされ、また、その天気予報を表示するための利便で連携を利用する方式も必要とされる。
【概要】
【０００８】
[0008]コンピュータによって実施される方法が提供され、この方法は、第１の時間及び第１の場所に関連付けられた第１の気象情報を特定するステップと、第２の時間に関連付けられた第２の気象情報を特定するステップと、第３の時間に関連付けられた第３の気象情報を特定するステップと、第１、第２、及び第３の気象情報の少なくとも１つに関連する観測データを特定するステップと、第１、第２、及び第３の気象情報を示す情報を含む第１のタイムラインを表示装置に表示するために生成するステップとを含むことができる。
【０００９】
[0009]実施形態によっては、第１、第２、及び第３の時間はそれぞれ異なる時間とすることができる。第１の時間が過去の時刻であり、第２の時間が現在の時刻であり、第３の時間が将来の時刻であることが可能である。
【００１０】
[0010]実施形態によっては、第１、第２、及び第３の気象情報の少なくとも１つが、第１の種類の降水が第１の場所で第１の強度で起こる確率を示す予想気象値を含むことができる。
【００１１】
[0011]実施形態によっては、第１、第２、及び第３の気象情報は、第１の区域的場所に関連する場合がある。
【００１２】
[0012]実施形態によっては、第１、第２、及び第３の気象情報は、第１の気象事象に関連する場合がある。
【００１３】
[0013]実施形態によっては、第１、第２、及び第３の気象情報は、第１のユーザに関連する場合がある。
【００１４】
[0014]実施形態によっては、観測データは、第１、第２、及び第３の気象情報の少なくとも１つに関連する、ユーザによって入力された、写真、映像、及びコメント、の少なくとも１つとすることができる。
【００１５】
[0015]実施形態によっては、上記方法は、第１のタイムラインと共に表示装置に表示するために第２のタイムラインを生成するステップをさらに含むことができ、第２のタイムラインは、第４の時間及び第５の時間に関連付けられた気象情報を示す情報を含む。
【００１６】
[0016]実施形態によっては、第１のタイムラインは第１の場所に関連付けられ、第２のタイムラインは、第１の場所と異なる第２の場所に関連付けられる場合がある。
【００１７】
[0017]実施形態によっては、第１のタイムラインは、第１の気象事象に関連付けられ、第２のタイムラインは、第１の気象事象と異なる第２の気象事象に関連付けられる場合がある。
【００１８】
[0018]実施形態によっては、第１のタイムラインは第１のユーザに関連付けられ、第２のタイムラインは、第１のユーザと異なる第２のユーザに関連付けられる場合があり、観測データの少なくとも一部が第１及び第２のユーザから受け取られる。
【００１９】
[0019]実施形態によっては、観測データは、竜巻、ハリケーン、雹雲、大雨、大雪、デレチョ、及びダウンバースト、の少なくとも１つからなる気象事象に関連する可能性がある。
【００２０】
[0020]さらに、所与の時刻にユーザに気象情報を表示する、コンピュータによって実施される方法を提供することができ、気象情報は、所与の期間及び所与の区域に関連し、一続きの天気予報、過去の気象観測結果、現在の気象観測結果、又はユーザ入力を含む。この方法は、過去の気象観測結果又は現在の気象観測結果を受け取るステップと、過去の気象観測結果又は現在の気象観測結果を使用して予想気象値を生成するステップと、予想気象値を使用して、所与の時刻の後に開始し、その後、時間増分単位で間隔を空けた時刻にわたって続く一続きの天気予報を生成するステップと、気象情報を表示するタイムラインを構築するステップであって、タイムラインは所与の期間にわたり、所与の期間は所与の時刻の前と後の両方に及ぶ、ステップと、タイムラインに追加されるユーザ入力を受け取るステップとを含むことができる。
【００２１】
[0021]実施形態によっては、ユーザ入力を受け取るステップは、写真、映像、コメント、又は気象値を受け取ることを含むことができる。
【００２２】
[0022]実施形態によっては、ユーザ入力を受け取るステップは、気象事象に関連する写真、映像、コメント、又は気象値を受け取ることを含むことができ、気象事象は、竜巻、ハリケーン、雹雲、大雨の雲、デレチョ、及びダウンバースト、の少なくとも１つからなる。
【００２３】
[0023]実施形態によっては、１つ又は複数のプロセッサと、１つ又は複数のプロセッサによって実行されることが可能なコンピュータ命令を記憶しているメモリとを備える装置を提供することができ、それらの命令が実行されると、装置に、上記の方法の１つ又は複数を行わせる。さらに、そのような命令を記憶した非一時的なコンピュータ読取り可能媒体を提供することができる。
【００２４】
[0024]さらに、１つ又は複数のプロセッサと、１つ又は複数のプロセッサの命令を記憶しているメモリと、通信ネットワークを介して遠隔のサーバに接続する通信モジュールと、ディスプレイとを備える装置を提供することができる。命令が実行されると、装置に、複数の天気予報を含むタイムラインと、複数の天気予報の少なくとも１つに関連付けられた観測データとを遠隔のサーバから受信させ、遠隔のサーバから受信されたタイムラインの少なくとも一部をディスプレイに表示させることができる。装置は、これらに限られないが、手持ち型の装置、携帯電話、車両等のモバイル装置である。
【図面の簡単な説明】
【００２５】
[0025]本開示のさらに他の特徴及び利点は、添付図面と併せて以下の詳細な説明を読むことにより明らかになろう。
【００２６】
【図１】[0026]図１は、気象情報をタイムラインに表示する方法及びシステムの例を示すブロック図である。
【００２７】
【図２Ａ】[0027]図２Ａは、実施形態を実装するのに適したナウキャスターの例を示すブロック図である。
【００２８】
【図２Ｂ】[0028]図２Ｂは、実施形態を実装するのに適したナウキャスターの例を示すより詳細なブロック図である。
【００２９】
【図２Ｃ】[0029]図２Ｃは、実施形態を実装するのに適したナウキャスターの別の例を示すより詳細なブロック図である。
【００３０】
【図３Ａ】[0030]図３Ａは、一実施形態による、各種のタイムラインに気象情報が表示されるユーザインターフェースの例を示す画面例の図である。
【００３１】
【図３Ｂ】[0031]図３Ｂは、一実施形態による、ユーザが別々に対話することができる各種のタイムラインに気象情報が表示されるユーザインターフェースの例を示す画面例の図である。
【００３２】
【図４】[0032]図４は、実施形態を実施することができるネットワーク環境の例の図である。
【００３３】
【図５】[0033]図５は、請求される主題の実施形態を実施することができる適切なコンピューティング動作環境を示す例示的図である。
【００３４】
【図６】[0034]図６は、一実施形態による、１つの場所の気象情報の例を表示したタイムラインの例を示すブロック図である。
【００３５】
【図７】[0035]図７は、一実施形態による、気象事象に関連する気象情報の例を表示したタイムラインの例を示すブロック図である。
【詳細な説明】
【００３６】
[0036]すべての添付図面で、同様の特徴は同様の参照符号で識別されることに留意されたい。
【００３７】
[0037]以下に本願の一部をなす添付図面を参照して実施形態をより完全に説明するが、添付図面には、実施形態を実施することができる特定の実施形態を例示として示す。それらの実施形態は、本開示が当業者に請求される主題の範囲を伝えるようにも説明される。ただし、それらの実施形態は、多数の異なる形態で具現化することも可能であり、本明細書に述べられる実施形態に限定されるものとは解釈すべきでない。
【００３８】
[0038]本発明の実施形態は特に方法又は装置として具現化することができる。したがって、実施形態は、完全にハードウェアによる実施形態、完全にソフトウェアによる実施形態、及びソフトウェアとハードウェアの態様を組み合わせた実施形態等の形態を取ることができる。さらに、実施形態については携帯型又は手持ち型の装置を参照して説明するが、デスクトップ、ラップトップ、タブレット装置、又はそれらの実施形態を実装するのに十分な演算資源を有する他のコンピューティング装置上で実装することもできる。
【００３９】
[0039]定義
【００４０】
[0040]本明細書では、以下の用語は下記のように定義されるものとする。
【００４１】
[0041]短時間予報（ｎｏｗｃａｓｔｉｎｇ）は、「now」と「forecasting」の短縮形であり、典型的には０〜１２時間の範囲の短期間の予報を行うために考案された一連の技術を指す。
【００４２】
[0042]ナウキャスター（ｎｏｗｃａｓｔｅｒ）は、地球上の非常に狭い領域（５メートル、１０メートル、５０メートル、１００メートル、５００メートル、１０００メートル等）である所与の区域について、非常に短期間の予報（例えば１分、５分、１５分、３０分等）を作成する天気予報装置である。
【００４３】
[0043]気象値は、温度、気圧、視程、降水の種類及び強度、積雪、雲量、風など、気象に関連する任意種類の数量又は属性である。
【００４４】
[0044]予想気象値は、ナウキャスターによって予測される気象値である。
【００４５】
[0045]気象関連事象は、例えば、雹、突風、稲妻、温度変化等の少なくとも１つの事象である。
【００４６】
[0046]降水種類（ＰＴｙｐｅ）は降水の種類を表す。降水種類の例には、これらに限定されないが、雨、雪、雹、雨氷、凍雨、氷晶が含まれる。
【００４７】
[0047]降水量（ＰＲａｔｅ）は、降水の強度を表す。降水量値の例には、これらに限定されないが、「なし」（すなわち降水なし）、「弱い」、「中程度」、「強い」、「極めて強い」が含まれる。一実施形態では、降水量は値の範囲として表すこともでき、「降水なし」から「弱い」、「弱い」から「中程度」、「中程度」から「強い」、又はそれらの任意の組合せなどで表すこともできる。
【００４８】
[0048]降水確率は、降水が発生する確率を表す。降水確率値の例には、これらに限定されないが、「可能性は全くない」、「見込みはあまりない」、「低い可能性がある」、「可能性がある」、「見込みが高い」、「見込みが非常に高い」、「確実」等が含まれる。
【００４９】
[0049]一実施形態では、降水確率は、「降水なし」から「弱い」、「弱い」から「中程度」、「中程度」から「強い」など、値の範囲として表すこともできる。降水確率は、例えば０％、２５％、５０％、７５％、１００％などの百分率、又は例えば０％〜２５％、２５％〜５０％、５０％〜７５％、７５％〜１００％などの百分率の範囲で表すこともできる。一実施形態では、降水確率は確率分布から求めることができる。
【００５０】
[0050]降水種類及び降水量のカテゴリ（ＰＴｙｐｅＲａｔｅ）：ＰＴｙｐｅＲａｔｅカテゴリは、降水種類と降水量の組合せであり、それに所与の期間の発生の確率を関連付けて、特定の降水量で特定種類の降水を受ける可能性を表すことができる。
【００５１】
[0051]天気予報は、ユーザに表示することが可能な１つ又は複数の予想気象値のセットである。
【００５２】
[0052]ユーザは、天気予報が転送される対象の人又は装置である。
【００５３】
[0053]気象事象は、測定若しくは予想される任意の気象値、天気予報、又は気象データ源である。
【００５４】
[0054]簡単に述べると、ここで説明する実施形態は、気象情報をタイムラインに表示する、コンピュータによって実施される方法及びシステムを記載する。天気予報は、短時間予報を生成するシステム、又は「ナウキャスター」として知られる短期間の天気予報機構によって生成される。
【００５５】
[0055]タイムラインにおける気象情報の表示
【００５６】
[0056]図１は、タイムライン生成器１００を使用して気象情報を表示する方法及びシステムを説明する図である。
【００５７】
[0057]一実施形態によると、ナウキャスター２００を使用することにより、タイムライン生成器１００を使用して図６に示すタイムライン６００に表示できる短時間予報を生成することができる。より正確には、ナウキャスター２００は気象データ源２０１を使用して予想気象値１２０を生成する。気象データ源２０１は、過去の気象観測結果と現在の気象観測結果に分類することができる。過去の気象観測結果は、保存された気象観測結果を含むことができる。
【００５８】
[0058]タイムライン生成器１００は気象事象１１５を使用し、気象事象１１５は、過去の気象事象１１０、現在の気象事象１１１、及び将来の気象事象１１２、の少なくとも１つを含む。過去の気象事象１１０及び現在の気象事象１１１については、気象データ源２０１をそのまま使用することができる。気象データ源２０１は、図２Ｂに詳細に示すように、測定された気象値（温度、降水種類及び降水量、気圧など、気象レーダや衛星の観測結果、気象に関する写真及び映像、並びに他の気象データ源）のような要素を含むことができるため、タイムライン生成器１００を使用して、タイムライン６００にそのような要素を表示して過去の気象事象１１０と現在の気象事象１１１を表すことができる。
【００５９】
[0059]将来の気象事象１１２は、予想気象値１２０を使用することによってタイムライン生成器１００で考慮に入れることができる。一実施形態によると、気象事象又は気象値の予想は、事前に定義された画像又は映像で表現することができる。
【００６０】
[0060]一実施形態によると、予想気象値１２０は保管データベース１２５に記憶することができる。この保管データベース１２５は、タイムライン生成器１００で気象事象１１５に過去の天気予報１１３を含めるための基盤として機能することができる。
【００６１】
[0061]タイムライン生成器１００が動作するのに必要とするすべてのものを入手すると、タイムライン生成器１００はユーザ１５０にタイムライン６００を送信する。一実施形態によると、この送信は通信ネットワーク２５４を通じて行われる。
【００６２】
[0062]一実施形態によると、タイムライン生成器１００に情報を送ることによりユーザ１５０からの連携を行ってタイムライン６００を向上させることができる。タイムライン生成器１００は、ユーザ入力１３０をタイムライン６００に取り入れることを含むことができる。例えば、ユーザ入力１３０は、ユーザが撮影した写真若しくは映像１３２、ユーザのコメント１３４、又はユーザによる気象観測１３６を含む。ユーザによる気象観測１３６は、特定の場所で弱い雨が降っているなど、タイムライン６００に表示される気象事象１１５を裏付ける、又は修正する助けとなる気象についての事実である。その場合、ユーザによる気象観測１３６は、短時間予報を行うための追加的な入力情報としてナウキャスター２００に送ることができる。ユーザによる気象観測１３６は、竜巻や稲妻の発生などの関心を引く事柄である場合もあり、追跡することができる緊急的な気象事象として現在の気象事象１１１又は将来の気象事象１１２に直接取り込むこともできる。危険な気象事象や関心を引く気象事象を追跡する場合には、タイムライン生成器１００を介してユーザ１５０に警報を送信することもできる。
【００６３】
[0063]本方法で連携が使用される場合、タイムライン生成器１００に対してユーザ１５０が行う追加は、他のユーザに表示されるタイムライン６００に取り込まれ、そのため、あるユーザ１５０が他のユーザの写真、コメント、又はその他のユーザ入力１３０を見ることができる。任意で、ユーザ１５０は、特定の都市若しくは領域、又は現在の位置、又は現在の位置から所与の半径内の地域に特化して機能するタイムライン生成器１００を保有して、下記のように所与の気象事象を追尾することを選択することもできる。
【００６４】
[0064]図３Ａ及び図３Ｂは、タイムライン６００の表示を含んでいるユーザインターフェースの実施形態を示す図である。図３Ａから分かるように、タイムラインは複数あることが可能であり、各タイムラインが独自の第１の時間と独自の時間増分単位を持つ。図３Ｂは、ユーザ１５０が、一度に１つのタイムラインずつ、各タイムラインと別々に対話できることを示し、タイムライン上で前に進んだり、戻ったりすることができる。
【００６５】
[0065]図６は、タイムライン６００の表示の別の実施形態を示すブロック図であり、場所６６６についての気象情報６１０の様々な例の表示を含んでいる。気象情報６１０は、将来の気象事象１１２若しくは過去の天気予報１１３の基礎となるナウキャスター２００によって生成された一続きの天気予報、上記のユーザ入力１３０、又は現在の気象観測結果若しくは過去の気象観測結果のどちらかに分類された気象データ源２０１を含むことができる。
【００６６】
[0066]図６に示す実施形態によると、タイムラインは、ユーザ１５０がタイムライン６００を見る所与の時刻６２５よりも前の時刻、後の時刻、又はその時刻に関係する気象情報６１０を含むことができる。所与の時刻６２５は例えば現在の時刻である。ユーザ１５０は、タイムラインを下方にスクロールして最も古い気象情報に達するまで古い気象情報を見ることもでき、また上方にスクロールして、将来の気象事象がそれ以上なくなるまで将来の気象事象１１２を見ることができる。
【００６７】
[0067]表示される気象情報６１０は、時間軸６３０に固定することができる。固定された気象情報６１０は、対応する表示時刻６２０と共に表示することができる。
【００６８】
[0068]図７は、タイムライン６００の表示の別の実施形態を示すブロック図であり、気象事象７７７についての気象情報６１０の様々な例の表示を含んでいる。タイムライン６００は気象事象７７７についての気象情報６１０を表示するため、タイムライン６００は２つ以上の場所に関連する可能性がある。追尾される気象事象７７７は、降水、温度、又は風に関連する任意の事象であり、竜巻、ハリケーン、雹又は暴風、デレチョ（ｄｅｒｅｃｈｏ）暴風雨、ダウンバースト等である。気象情報６１０は、将来の気象事象１１２若しくは過去の天気予報１１３の基礎となるナウキャスター２００によって生成された一続きの天気予報、上記のユーザ入力１３０、又は現在の気象観測結果若しくは過去の気象観測結果のどちらかに分類された気象データ源２０１を含むことができる。
【００６９】
[0069]図７に提示する実施形態によると、タイムラインは、ユーザ１５０がタイムライン６００を見る所与の時刻６２５よりも前の時刻、後の時刻、又はその時刻に関係する気象情報を含むことができる。所与の時刻６２５は例えば現在の時刻である。ユーザ１５０は、タイムラインを下方にスクロールして最も古い気象情報に達するまで古い気象情報を見ることもでき、最も古い気象情報は当該の気象事象が発生した時に相当し、また上方にスクロールして、将来の気象事象がそれ以上なくなるまで将来の気象事象１１２を見ることができる。
【００７０】
[0070]表示される気象情報６１０は、時間軸６３０に固定することができる。固定された気象情報６１０は、対応する表示時刻６２０と共に表示することができる。
【００７１】
[0071]ナウキャスター
【００７２】
[0072]図２Ａ〜２Ｃは、本明細書に記載される主題の１つ又は複数の実施形態によるナウキャスターのブロック図である。
【００７３】
[0073]図２Ａ〜２Ｃに示すように、ナウキャスター２００は、種々のデータ源２０１から気象観測結果を受け取り、それらのデータ源は、これらに限定されないが、地点観測２０１−２（例えばユーザや自動ステーションから得られるフィードバック）、気象レーダ２０１−３、衛星２０１−４、及び他の種類の気象観測２０１−１を含む気象観測データ源と、数値気象予測（ＮＷＰ）モデルの出力２０１−５や天気予報及び注意報２０１−６などの天気予報データ源などである。
【００７４】
[0074]ナウキャスター２００は、メモリ２２０及びプロセッサ２１０を備える。メモリ２２０は、本方法のための命令を含み、また気象データ源２０１からのデータ、中間結果、及び天気予報も記憶する。プロセッサ２１０は、ナウキャスター２００が計算を行うことを可能にする。
【００７５】
[0075]ナウキャスター２００は、通信ネットワーク２５４を通じてユーザ１５０から情報２３０を受信することができる。
【００７６】
[0076]ナウキャスター２００は、１件の天気予報又は一続きの天気予報を出力する。
【００７７】
[0077]図２Ｂはナウキャスター２００の一実施形態である。この実施形態では、ナウキャスター２００はＰＴｙｐｅ分布予想器２０２及びＰＲａｔｅ分布予想器２０４を備える。ＰＴｙｐｅ分布予想器２０２は、種々の気象データ源２０１から気象観測結果を受け取り、所与の緯度及び経度（並びに／又は場所）について任意の時間間隔にわたる降水種類の確率分布を出力する。例えば、
ａ．雪：１０％
ｂ．雨：３０％
ｃ．雨氷：６０％
ｄ．雹：０％
ｅ．凍雨：０％
【００７８】
[0078]同様に、ＰＲａｔｅ予想器２０４は種々のデータ源２０１から所与の経度及び緯度についての気象観測結果を受け取り、不確実性を表す表現で降水量の確率分布の予想（ＰＲａｔｅ）を出力する。例えば、ＰＲａｔｅは、所与の経度及び緯度についての一定の時間間隔にわたる降水量又は降水量の範囲の確率分布として出力される。例えば以下のようになる。
ｆ．降水なし：３０％
ｇ．弱い降水：４０％
ｈ．中程度の降水：２０％
ｉ．強い降水：１０％
【００７９】
[0079]ＰＲａｔｅ予想器２０４及びＰＴｙｐｅ予想器２０２から出力されたＰＲａｔｅ及びＰＴｙｐｅの値は予想組合せ器２０６に送られて、それらの値を組み合わせて、降水の結果を表す単一の値ＰＴｙｐｅＲａｔｅにする。例えば、ＰＴｙｐｅの値が「雪」で、「ＰＲａｔｅ」の値が「強い」であれば、組み合わせられたＰＴｙｐｅＲａｔｅの値は「強い雪」になる。
【００８０】
[0080]所与の緯度及び経度について、本システムは、所定の時間間隔にわたる予想ＰＴｙｐｅＲａｔｅ分布を出力し、時間間隔は、固定（例えば１分）、又は可変（例えば１分、５分、次いで１０分等）である。システムは、一連の時間間隔における予想ＰＴｙｐｅＲａｔｅ分布を予め計算して記憶しておくことも、その場で計算することもできる。ＰＴｙｐｅＲａｔｅの分布は、時間間隔ごとに、あるＰＴｙｐｅＲａｔｅが発生する確実性又は不確実性を表す。
【００８１】
[0081]図２Ｂを参照すると、予想組合せ器２０６は、ＰＴｙｐｅ予想器２０２から最終的なＰＲａｔｅの分布を、ＰＲａｔｅ予想器２０４から最終的なＰＲａｔｅの分布を受け取って、それらを組み合わせてＰＴｙｐｅＲａｔｅ分布値のグループにし、各グループは、ある降水量である種類の降水を受ける確率を表す。一例を以下に提供する。
【００８２】
[0082]ＰＴｙｐｅ分布が、雪：５０％、雨：０％、雨氷：３０％、雹：０％、凍雨：２０％で、ＰＲａｔｅ分布が、降水なし：０％、弱い：１０％、中程度：２０％、強い：３０％、非常に強い：４０％であるとすると、ＰＴｙｐｅＲａｔｅ分布は例えば次のようになる。
【表１】
2018066745.tif 000003
【００８３】
[0083]したがって、予想組合せ器２０６は各種類の降水の確率に各降水量の確率を乗算して、例えば２０％の強い雪の可能性、１２％の非常に強い雨氷の可能性など、ある降水量である種類の降水を受ける確率を得る。一実施形態では、確率の範囲にテキスト情報を関連付けて、確率を数字で表示する代わりに、テキスト情報をユーザに表示することができる。例えば、５％〜１５％の間の確率は「低い可能性」というテキストに関連付け、４０％〜７０％の間の確率は「高い可能性」又は「非常に見込みが高い」等のテキストに関連付け、それにより「６０％の強い雪の可能性」と表示する代わりに、「強い雪の可能性が高い」と表示することができる。
【００８４】
[0084]別の実施形態では、１つ又は複数の次元（次元は降水量、種類、又は確率を含む）に沿って２つ以上の異なるＰＴｙｐｅＲａｔｅを組み合わせることが可能である。例えば、そのような組合せの結果には、弱い雨から中程度の雨の見込みが高い、弱い雨又は雪から中程度の雨又は強い雪の見込みが高い、中程度の雨又は雪の見込みが高い、雨又は雪の見込みが高い、弱い雨から中程度の雨又は強い雪又は弱い雹の可能性がある、中程度の雨、雪、又は雹の可能性がある、雨、雪、又は雹の可能性がある、等が含まれる可能性がある。
【００８５】
[0085]したがって、ナウキャスター２００は、短時間予報が必要とされる場所、並びに短時間予報が必要とされる時刻及び／又は時間間隔を受け取り、その場所及び特定の時刻についてのＰＴｙｐｅＲａｔｅの分布を出力する。
【００８６】
[0086]図２Ｃは、ナウキャスター２００の別の実施形態を示す。この実施形態では、ナウキャスター２００は、ＰＴｙｐｅ選択器／受信器２０２−Ｃ及びＰＲａｔｅ分布予想器２０４を備える。
【００８７】
[0087]図２Ｂに示す実施形態と同様に、ＰＲａｔｅ分布予想器２０４は、種々のデータ源２０１から所与の緯度及び経度についての気象観測結果を受け取り、不確実性を表す表現で降水量（ＰＲａｔｅ）の確率分布の予想を出力する。例えば、ＰＲａｔｅは、所与の緯度及び経度における任意の時間間隔にわたる降水量又は降水量の範囲の確率分布として出力することができる。例えば、
ｆ．降水なし：３０％
ｇ．弱い：４０％
ｈ．中程度：２０％
ｉ．強い：１０％
となる。
【００８８】
[0088]ただし、ＰＴｙｐｅ選択器／受信器２０２−Ｃは、種々の降水種類に関連付けられた確率分布は出力しない。代わりに、ＰＴｙｐｅ選択器／受信器２０２−Ｃは、所与の緯度及び経度に対応する気象観測結果を種々のデータ源２０１から受け取って、様々な降水種類の一覧から１つの降水種類を選択する。例えば、データ源２０１から受け取った入力に基づいて、ＰＴｙｐｅ選択器／受信器２０２−Ｃは、下記の降水種類の一覧から、当該の緯度及び経度（並びに／又は場所）で発生する可能性が最も高い単一の降水種類を選択する。
ａ．雪
ｂ．雨
ｃ．雨氷
ｄ．雹
ｅ．凍雨
ｆ．それらの混合（例えば、ａ＋ｃ、ａ＋ｄ、ｂ＋ｃ、ａ＋ｅ、ｃ＋ｅ、ｄ＋ｅ等）
【００８９】
[0089]上記のような降水種類の一覧から、所与の場所に対して１つのみの降水種類が選択される。例えば、所与の時間に所与の場所で最も可能性の高い降水種類として雪と雨氷の混合が選択される可能性がある。降水種類は確率値には関連付けられない。つまり、任意の場所とその場所に対応する時間について１つだけの降水種類が選択されるので、選択された降水種類は実質的に１００％の確率値を有することになる。
【００９０】
[0090]１つの種類を選択するために利用できる降水種類の一覧は、２つの異なる降水種類（例えば雪と雨氷、雹と凍雨等）の混合を表す混合タイプを含むことができる。混合タイプは、選択することが可能な独立した降水種類と考えられ、上記の段落[0070]の一覧の種類（ｆ）で示すように、様々な降水種類の異なる組の混合を表す異なる混合タイプは、多数存在する可能性がある。
【００９１】
[0091]別の実施形態では、降水種類は、ＰＴｙｐｅ選択器／受信器２０２−Ｃによって選択されるのではなく、ナウキャスター２００の外部にあるデータ源から受け取られる。言い換えると、ナウキャスター２００は、遠隔のデータ源（例えば第三者の気象サービス）に、所与の時間に所与の場所で発生する可能性が最も高い降水種類を特定する要求を送信し、最も可能性の高い降水種類を特定する応答をデータ源から受け取ることができる。この場合、降水種類の選択はナウキャスター２００によっては行われない。既に選択された降水種類が単にナウキャスター２００に入力され、それにより、選択を行う場合に必要となるナウキャスター２００の演算力を節減することができる。
【００９２】
[0092]それぞれＰＴｙｐｅ選択器／受信器２０２−Ｃ及びＰＲａｔｅ分布予想器２０４から出力された、選択された降水種類とＰＲａｔｅ値が組み合わせられる。例えば、選択された降水の種類が雪で、ＰＲａｔｅ値が上記のような値である場合、組み合わせた情報は次のようになる。
ａ．降雪なし：３０％
ｂ．弱い雪：４０％
ｃ．中程度の雪：２０％
ｄ．強い雪：１０％
【００９３】
[0093]関係する降水種類が１つのみであるため、組合せを行って最終的な天気予報データを出力するために必要とされる演算力が最小量で済む。ＰＴｙｐｅ選択器／受信器２０２−Ｃは所与の場所と時間について１つの降水種類を出力するので、ＰＲａｔｅ分布予想器２０４がｍ個の数の確率分布を出力した場合、最終的な天気予報データはｍ（ｍ＊１）個のみの天気予報分布を含む。
【００９４】
[0094]最終的な天気予報データを出力する際に、図２Ｂに示した実施形態と同様に、確率の範囲にテキスト情報を関連付けて、確率を数で表示する代わりにテキスト情報をユーザに表示することができる。例えば、５％〜１５％の確率は「低い可能性」というテキストに関連付け、４０％〜７０％の確率は「高い可能性」又は「非常に高い見込み」などのテキストに関連付け、それにより、「６０％の強い雪の可能性」と表示する代わりに、「強い雪の可能性が高い」と表示することができる。
【００９５】
[0095]したがって、ナウキャスター２００は、短時間予報が必要とされる場所、並びに短時間予報が必要とされる時間及び／又は時間間隔を受け取り、その場所及び特定の時間について、選択されたＰＴｙｐｅ及びＰＲａｔｅの分布を出力する。
【００９６】
[0096]図２Ｃに示す実施形態によるナウキャスター２００は、効率性が要求される状況では図２Ｂに示す実施形態よりも有利である可能性がある。図２Ｃの実施形態は、図２Ｂの実施形態に比べてはるかに少ない処理力を使用して実装することができる。しかし、図２Ｂの実施形態は、所与の場所及び時間についてのより詳細で正確な天気予報データのスナップショットを提供することにおいては図２Ｃの実施形態よりも適する可能性がある。
【００９７】
[0097]図４は、実施形態を実施することが可能なネットワーク環境の例である。ナウキャスター２００は、通信ネットワーク２５４を通じて複数のクライアントコンピュータ２５２からアクセスすることができるサーバ２５０で実装することができる。クライアントコンピュータ２５２は、これらに限定されないが、ラップトップ、デスクトップ、携帯型コンピューティング装置、タブレット等を含むことができる。クライアントコンピュータ２５２を使用して、各ユーザ１５０は表示された予想気象値を見ることができる。サーバは、図２Ｂ及び図２Ｃとの関連で説明したように通信ネットワーク２５４を通じて気象データ源２０１にアクセスする。サーバ２５０は、サーバ２５０に地図データを記憶しておくことができる。
【００９８】
[0098]ハードウェア及び動作環境
【００９９】
[0099]図５は、請求される主題の実施形態を実施することが可能な適切なコンピューティング動作環境の例示的図である。以下の説明は図５に関連し、実施形態をそれとの関連で実装することができる適切なコンピュータハードウェア及び適切なコンピューティング環境の簡単で一般的な説明を提供するものである。上記実施形態を実施するためにすべての構成要素が必須であるとは限らず、実施形態の主旨又は範囲から逸脱することなく構成要素の配置と種類の変種を作製することができる。
【０１００】
[00100]これは必須ではないが、実施形態は、パーソナルコンピュータ、手持ち型若しくは手のひらサイズのコンピュータ、スマートフォン、又は消費者装置や特殊な産業用コントローラの内部にあるコンピュータなどの組み込みシステムなどのコンピュータによって実行される、プログラムモジュールなどのコンピュータ実行可能命令の一般的な文脈で説明する。一般に、プログラムモジュールは、特定のタスクを行うか、又は特定の抽象データ型を実装する、ルーチン、プログラム、オブジェクト、構成要素、データ構造等を含む。
【０１０１】
[00101]さらに、当業者には、実施形態は他のコンピュータシステム構成で実施することもでき、そのような構成には、手持ち型装置、マルチプロセッサシステム、マイクロプロセッサを利用した、若しくはプログラム可能な消費者電気製品、ネットワークＰＣ、ミニコンピュータ、メインフレームコンピュータ、携帯電話、スマートフォン、ディスプレイページャ、無線周波（ＲＦ）装置、赤外線（ＩＲ）装置、携帯情報端末（ＰＤＡ）、ラップトップコンピュータ、着用可能コンピュータ、タブレットコンピュータ、ｉＰｏｄ（登録商標）若しくはｉＰａｄ（登録商標）系列の装置、上記装置の１つ若しくは複数を組み合わせた総合装置、又は、本明細書に記載される方法及びシステムを行うことが可能な他のコンピューティング装置が含まれることが理解されよう。実施形態は、通信ネットワークで結ばれた遠隔の処理装置によって作業が行われる分散コンピューティング環境で実施することもできる。分散コンピューティング環境では、プログラムモジュールは、ローカル及びリモート両方のメモリ記憶装置に置くことができる。
【０１０２】
[00102]図５の例示的なハードウェア及び動作環境は、コンピュータ７２０の形態の汎用コンピューティング装置を含み、これは、処理装置７２１、システムメモリ７２２、及び、システムメモリを含む各種のシステム構成要素を動作的に処理装置７２１に結合するシステムバス７２３を含む。処理装置７２１は１つのみ、又は２つ以上ある場合があり、コンピュータ７２０のプロセッサは、単一の中央演算処理装置（ＣＰＵ）、又は一般に並列処理環境と呼ばれる複数の処理装置を備える。コンピュータ７２０は、従来のコンピュータ、分散コンピュータ、又は他の種類のコンピュータであるが、実施形態はそれらに限定されない。
【０１０３】
[00103]システムバス７２３は、各種のバスアーキテクチャを使用した、メモリバス又はメモリコントローラ、周辺バス、及びローカルバスを含む数種のバス構造のいずれであってもよい。システムメモリは単にメモリと呼ばれる場合もあり、読出し専用メモリ（ＲＯＭ）７２４及びランダムアクセスメモリ（ＲＡＭ）７２５を含む。起動時などにコンピュータ７２０内の要素間の情報転送を助ける基本ルーチンを含んでいる基本入出力システム（ＢＩＯＳ）７２６がＲＯＭ７２４に記憶される。請求される主題の一実施形態では、コンピュータ７２０は、図示しないハードディスクの読み書きを行うハードディスクドライブ７２７、取り外し可能の磁気ディスク７２９の読み出し又は書き込みを行う磁気ディスクドライブ７２８、及び、ＣＤ  ＲＯＭや他の光学媒体などの取り外し可能の光ディスク７３１の読み出し又は書き込みを行う光ディスクドライブ７３０をさらに含む。請求される主題の代替実施形態では、ハードディスクドライブ７２７、磁気ディスク７２９、及び光ディスクドライブ７３０によって提供される機能は、電力を節減し、システムのサイズを縮小するために、揮発性又は不揮発性のＲＡＭを使用して模倣される。これらの代替実施形態では、ＲＡＭは、コンピュータシステム内に固定されるか、又はコンパクトフラッシュ（登録商標）メモリカードなど取り外し可能なＲＡＭ装置とすることができる。
【０１０４】
[00104]請求される主題の一実施形態では、ハードディスクドライブ７２７、磁気ディスクドライブ７２８、及び光ディスクドライブ７３０は、それぞれハードディスクドライブインターフェース７３２、磁気ディスクドライブインターフェース７３３、及び光ディスクドライブインターフェース７３４でシステムバス７２３に接続される。これらのドライブとそれに関連付けられたコンピュータ読取り可能媒体は、コンピュータ７２０のコンピュータ可読命令、データ構造、プログラムモジュール、及び他のデータの不揮発性の記憶を提供する。当業者には、磁気カセット、フラッシュメモリカード、デジタルビデオディスク、ベルヌーイカートリッジ、ランダムアクセスメモリ（ＲＡＭ）、読出し専用メモリ（ＲＯＭ）等、コンピュータによりアクセス可能なデータを記憶することができる任意種類のコンピュータ読取り可能媒体を例示的な動作環境で使用できることが理解されよう。
【０１０５】
[00105]ハードディスク、磁気ディスク７２９、光ディスク７３１、ＲＯＭ７２４、又はＲＡＭ７２５にはいくつかのプログラムモジュールを記憶することができ、それらにはオペレーティングシステム７３５、１つ又は複数のアプリケーションプログラム７３６、他のプログラムモジュール７３７、及びプログラムデータ７３８が含まれる。ユーザは、キーボード７４０やポインティングデバイス７４２などの入力装置を通じてパーソナルコンピュータ７２０にコマンドと情報を入力することができる。他の入力装置（図示せず）には、マイクロフォン、ジョイスティック、ゲームパッド、衛星受信アンテナ、スキャナ、タッチセンシティブパッド等がある。上記及び他の入力装置は多くの場合、システムバスに結合されたシリアルポートインターフェース７４６を通じて処理装置７２１に接続されるが、パラレルポート、ゲームポート、又はユニバーサルシリアルバス（ＵＳＢ）等の他のインターフェースで接続することもできる。また、システムへの入力は、音声入力を受け取るマイクロフォンで提供することができる。
【０１０６】
[00106]モニタ７４７又は他の種類の表示装置も、ビデオアダプタ７４８などのインターフェースを介してシステムバス７２３に接続される。請求される主題の一実施形態では、モニタは液晶ディスプレイ（ＬＣＤ）からなる。モニタに加えて、コンピュータは通例、スピーカやプリンタなどの他の周辺出力装置（図示せず）も含む。モニタは、ユーザが表面を押す、又は表面に触れることによってコンピュータとインターフェースを取ることができるタッチセンシティブ面を含むことができる。
【０１０７】
[00107]コンピュータ７２０は、リモートコンピュータ７４９などの１つ又は複数のリモートコンピュータへの論理接続を使用するネットワーク環境で動作することができる。そのような論理接続は、コンピュータ７２０に結合された、又はコンピュータ７２０の一部である通信装置によって実現されるが、実施形態は特定種類の通信装置には限定されない。リモートコンピュータ７４９は、別のコンピュータ、サーバ、ルータ、ネットワークＰＣ、クライアント、ピアデバイス、又は他の一般的なネットワークノード等であり、図６にはメモリ記憶装置７５０のみを示すが、通例は、コンピュータ７２０との関連で上述した要素の多く又はすべてを含む。図６に示す論理接続は、ローカルエリアネットワーク（ＬＡＮ）７５１及びワイドエリアネットワーク（ＷＡＮ）７５２を含む。このようなネットワーキング環境は、オフィス、企業規模のコンピュータネットワーク、イントラネット、及びインターネットで広く見られる。
【０１０８】
[00108]ＬＡＮネットワーキング環境で使用される場合、コンピュータ７２０は、通信装置の一種であるネットワークインターフェース又はアダプタ７５３を通じてローカルネットワーク７５１に接続される。ＷＡＮネットワーキング環境で使用される場合、コンピュータ７２０は通例、通信装置の一種であるモデム７５４、又はインターネットなどのワイドエリアネットワーク７５２を通じて通信を確立するための他の種類の通信装置を含む。モデム７５４は、内蔵型である場合も外付け型である場合もあり、シリアルポートインターフェース７４６を介してシステムバス７２３に接続される。ネットワーク環境では、パーソナルコンピュータ７２０に関連して図示するプログラムモジュール又はその一部は、遠隔のメモリ記憶装置に記憶することができる。図のネットワーク接続は例示的なものであり、コンピュータ間に通信リンクを確立する他の手段及び通信装置を使用できることが認識される。
【０１０９】
[00109]請求される主題の実施形態をそれとの関連で実施することができるハードウェア及び動作環境について説明した。請求される主題の実施形態をそれとの関連で実施することができるコンピュータは、従来のコンピュータ、手持ち型若しくは手のひらサイズのコンピュータ、組み込みシステム中のコンピュータ、分散コンピュータ、又は他の種類のコンピュータ等であるが、請求される主題はそれらに限定されない。そのようなコンピュータは通例、１つ又は複数の処理装置をプロセッサとして含み、またメモリなどのコンピュータ読取り可能媒体を含む。コンピュータはネットワークアダプタやモデムなどの通信装置も含む場合があり、通信的に他のコンピュータに結合することができる。
【０１１０】
[00110]上記で好ましい実施形態について説明し、添付図面に示したが、本開示から逸脱することなく変更を加えることが可能であることは当業者には明瞭であろう。そのような変更は、本開示の範囲に包含される、可能な変形と考えられる。
［発明の項目］
［項目１］
コンピュータによって実施される方法であって、
第１の時間及び第１の場所に関連付けられた第１の気象情報を特定するステップと、
第２の時間に関連付けられた第２の気象情報を特定するステップと、
第３の時間に関連付けられた第３の気象情報を特定するステップと、
前記第１、第２、及び第３の気象情報の少なくとも１つに関連する観測データを特定するステップと、
前記第１、第２、及び第３の気象情報を示す情報を含む第１のタイムラインを表示装置に表示するために生成するステップと、
を含む方法。
［項目２］
前記第１の時間が過去の時刻であり、前記第２の時間が現在の時刻であり、前記第３の時間が将来の時刻である、項目１に記載の方法。
［項目３］
前記第１、第２、及び第３の気象情報の少なくとも１つが、第１の種類の降水が前記第１の場所で第１の強度で起こる確率を示す予想気象値を含む、項目１又は２に記載の方法。
［項目４］
前記第１、第２、及び第３の気象情報が前記第１の区域的場所に関連する、項目１〜３のいずれか一項に記載の方法。
［項目５］
前記第１、第２、及び第３の気象情報が第１の気象事象に関連する、項目１〜４のいずれか一項に記載の方法。
［項目６］
前記第１、第２、及び第３の気象情報が第１のユーザに関連する、項目１〜５のいずれか一項に記載の方法。
［項目７］
前記観測データが、前記第１、第２、及び第３の気象情報の少なくとも１つに関連する、ユーザによって入力された、写真、映像、及びコメント、の少なくとも１つである、項目１〜６のいずれか一項に記載の方法。
［項目８］
前記第１のタイムラインと共に前記表示装置に表示するために第２のタイムラインを生成するステップを含み、前記第２のタイムラインは、第４の時間及び第５の時間に関連付けられた気象情報を示す情報を含む、項目１〜７のいずれか一項に記載の方法。
［項目９］
前記第１のタイムラインが前記第１の場所に関連付けられ、前記第２のタイムラインが、前記第１の場所と異なる第２の場所に関連付けられる、項目１〜８のいずれか一項に記載の方法。
［項目１０］
前記第１のタイムラインが第１の気象事象に関連付けられ、前記第２のタイムラインが、前記第１の気象事象と異なる第２の気象事象に関連付けられる、項目１〜９のいずれか一項に記載の方法。
［項目１１］
前記第１のタイムラインが第１のユーザに関連付けられ、前記第２のタイムラインが、前記第１のユーザと異なる第２のユーザに関連付けられ、前記観測データの少なくとも一部が前記第１及び第２のユーザから受け取られる、項目８に記載の方法。
［項目１２］
前記観測データが、竜巻、ハリケーン、雹雲、大雨、大雪、デレチョ、及びダウンバースト、の少なくとも１つからなる気象事象に関連する、項目１〜１１のいずれか一項に記載の方法。
［項目１３］
気象タイムラインを生成する装置であって、
１つ又は複数のプロセッサと、
前記１つ又は複数のプロセッサ用の命令を記憶するメモリと、
通信ネットワークを介して遠隔のユーザ装置に接続する通信モジュールと、
を備え、
前記１つ又は複数のプロセッサが前記メモリに記憶された前記命令を実行すると、当該装置に、
第１の時間及び第１の場所に関連付けられた第１の気象情報を特定するステップと、
第２の時間に関連付けられた第２の気象情報を特定するステップと、
第３の時間に関連付けられた第３の気象情報を特定するステップと、
前記第１、第２、及び第３の気象情報の少なくとも１つに関連する観測データを特定するステップと、
前記第１、第２、及び第３の気象情報を示す情報を含む第１のタイムラインを生成するステップと、
前記第１のタイムラインを表示装置に表示するために前記遠隔のユーザ装置に送信するステップと、
を実行させる、装置。
［項目１４］
前記第１の時間が過去の時刻であり、前記第２の時間が現在の時刻であり、前記第３の時間が将来の時刻である、項目１３に記載の装置。
［項目１５］
前記第１、第２、及び第３の気象情報の少なくとも１つが、第１の種類の降水が前記第１の場所で第１の強度で起こる確率を示す予想気象値を含む、項目１３又は１４に記載の装置。
［項目１６］
前記第１、第２、及び第３の気象情報が前記第１の区域的場所に関連する、項目１３〜１５のいずれか一項に記載の装置。
［項目１７］
前記第１、第２、及び第３の気象情報が、少なくとも、降水種類、温度レベル、又は風の強度に関連付けられた第１の気象事象に関連する、項目１３〜１６のいずれか一項に記載の装置。
［項目１８］
前記第１、第２、及び第３の気象情報が第１のユーザに関連し、前記観測データの少なくとも一部が前記第１のユーザから受け取られる、項目１３〜１７のいずれか一項に記載の装置。
［項目１９］
前記観測データが、前記第１、第２、及び第３の気象情報の少なくとも１つに関連する、ユーザによって入力された、写真、映像、及びコメント、の少なくとも１つからなる、項目１３〜１８のいずれか一項に記載の装置。
［項目２０］
前記装置に、前記第１のタイムラインと共に前記表示装置に表示するために第２のタイムラインを生成するステップを実行させ、前記第２のタイムラインは、第４の時間及び第５の時間に関連付けられた気象情報を示す情報を含む、項目１３〜１９のいずれか一項に記載の装置。
［項目２１］
サーバと、通信ネットワークを介して接続された遠隔の装置と、を具備するシステムであって、
前記サーバは、コンピュータと、前記コンピュータにタイムライン生成処理を実行させるプログラムを記憶する非一時的なコンピュータ読取り可能媒体と、を備え、前記タイムライン生成処理は、
第１の時間及び第１の場所に関連付けられた第１の気象情報を特定するステップと、
第２の時間に関連付けられた第２の気象情報を特定するステップと、
第３の時間に関連付けられた第３の気象情報を特定するステップと、
前記第１、第２、及び第３の気象情報の少なくとも１つに関連する観測データを特定するステップと、
前記第１、第２、及び第３の気象情報を示す情報を含む第１のタイムラインを表示装置に表示するために生成するステップと、
を含み、
前記遠隔の装置は、１つ又は複数のプロセッサと、ディスプレイと、前記１つ又は複数のプロセッサに処理を実行させるプログラムを記憶した非一時的なメモリと、を備え、前記処理は、
前記サーバから前記通信ネットワークを介して前記第１のタイムラインを取得するステップと、
前記第１のタイムラインの少なくとも一部を前記ディスプレイに表示させるステップと、
を含む、システム。
［項目２２］
所与の時刻にユーザに気象情報を表示する、コンピュータによって実施される方法であって、前記気象情報は、所与の期間及び所与の区域に関連し、一続きの天気予報、過去の気象観測結果、現在の気象観測結果、又はユーザ入力を含み、前記方法は、
前記過去の気象観測結果又は前記現在の気象観測結果を受け取るステップと、
前記過去の気象観測結果又は前記現在の気象観測結果を使用して予想気象値を生成するステップと、
前記予想気象値を使用して、前記所与の時刻の後に開始し、その後、時間増分単位で間隔を空けた時刻にわたって続く前記一続きの天気予報を生成するステップと、
前記気象情報を表示するタイムラインを構築するステップであり、前記タイムラインは前記所与の期間にわたり、前記所与の期間は前記所与の時刻の前と後の両方に及ぶ、ステップと、
前記タイムラインに追加される前記ユーザ入力を受け取るステップと
を含む、方法。
［項目２３］
前記ユーザ入力を受け取るステップが、写真、映像、コメント、又は気象値を受け取るステップを含む、項目２２に記載の方法。
［項目２４］
前記ユーザ入力を受け取るステップが、気象事象に関連する写真、映像、コメント、又は気象値を受け取るステップを含み、前記気象事象は、竜巻、ハリケーン、雹雲、大雨の雲、デレチョ、及びダウンバースト、の少なくとも１つからなる、項目２３に記載の方法。
［項目２５］
複数個の天気予報を含むタイムラインを表示する装置であって、
１つ又は複数のプロセッサと、
前記１つ又は複数のプロセッサ用の命令を記憶しているメモリと、
通信ネットワークを介して遠隔のサーバに接続する通信モジュールと、
ディスプレイと、
を備え、
前記１つ又は複数のプロセッサが前記メモリに記憶された前記命令を実行すると、当該装置に、
複数の天気予報を含むタイムラインと、前記複数の天気予報の少なくとも１つに関連付けられた観測データと、を前記遠隔のサーバから受信するステップと、
前記遠隔のサーバから受信された前記タイムラインの少なくとも一部を前記ディスプレイに表示するステップと、
を実行させる、装置。
［項目２６］
項目１〜１２及び２２〜２４のいずれか一項に記載の命令を記憶している非一時的なコンピュータ読取り可能媒体。
【図１】
2018066745.tif 000004
【図２Ａ】
2018066745.tif 000005
【図２Ｂ】
2018066745.tif 000006
【図２Ｃ】
2018066745.tif 000007
【図３Ａ】
2018066745.tif 000008
【図３Ｂ】
2018066745.tif 000009
【図４】
2018066745.tif 000010
【図５】
2018066745.tif 000011
【図６】
2018066745.tif 000012
【図７】
2018066745.tif 000013
【手続補正書】
【提出日】平成29年12月6日(2017.12.6)
【手続補正１】
【補正対象書類名】特許請求の範囲
【補正対象項目名】全文
【補正方法】変更
【補正の内容】
【特許請求の範囲】
【請求項１】
方法であって、
ある位置における過去の気象事情を特定するステップと、
前記位置における現在の気象事情を特定するステップと、
前記位置に対する予想される気象事情を特定するステップと、
ユーザからの観測データを受け取るステップであって、該観測データは、前記過去の気象事情を表すか又は記述するステップと、
前記観測データと、前記現在の気象事情及び前記予想される気象事情を示す情報とを含むタイムラインを表示装置に表示するために生成するステップと、
を含む方法。
【請求項２】
前記過去の気象事情を特定するステップが、前記ユーザから受け取った前記観測データに基づく前記過去の気象事情を示す情報を生成するステップを含む、請求項１に記載の方法。
【請求項３】
前記タイムラインが、前記過去の気象事情を示す前記情報をさらに含む、請求項２に記載の方法。
【請求項４】
前記予想される気象事情を特定するステップが、前記観測データに基づく前記予想される気象事情を生成するステップを含む、請求項１〜３のいずれか一項に記載の方法。
【請求項５】
前記観測データが、
前記過去の気象事情を表す画像、
前記過去の気象事情を表す映像又は
これらの組み合わせ
を含む、請求項１〜４のいずれか一項に記載の方法。
【請求項６】
前記観測データが、
前記過去の気象事情を記述するコメント、
前記過去の気象事情を記述する気象値、
前記過去の気象事情を記述する記事へのハイパーリンク又は
これらの組み合わせ
に対応する、請求項１〜５のいずれか一項に記載の方法。
【請求項７】
前記表示装置の現在の位置を受け取るステップであり、前記位置が前記表示装置の前記現在の位置である、ステップをさらに含む、請求項１〜６のいずれか一項に記載の方法。
【請求項８】
前記現在の気象事情又は前記予想される気象事情が、特定の量で発生する特定の降水種類の確率を含む、請求項１〜７のいずれか一項に記載の方法。
【請求項９】
前記特定の量で発生する前記特定の降水種類の前記確率を生成するステップであり、該ステップは、
前記特定の降水種類が発生する確率を含む天気予報を取得することと、
複数の降水量の各々で降水が発生する複数の確率を生成することと、
前記特定の降水種類が発生する確率と前記複数の降水量の各々で降水が発生する前記複数の確率とを組み合わせて、前記複数の降水量の各々で前記特定の降水種類が発生する複数の確率を生成することと、
前記複数の降水量の一つで前記特定の降水種類が発生する前記確率を出力することと、
により実行される、ステップをさらに含む、請求項８に記載の方法。
【請求項１０】
気象タイムラインを生成する装置であって、当該装置は、
１つ又は複数のプロセッサと、
請求項１〜９のいずれか一項に記載の方法を実行するために前記１つ又は複数のプロセッサにより実行可能な命令を記憶するメモリと、
を備える、装置。
【請求項１１】
命令を記憶しているコンピュータ読取り可能記憶装置であって、前記命令は１つ又は複数のプロセッサによって実行されると、前記１つ又は複数のプロセッサに請求項１〜９のいずれか一項に記載の方法を実行させる、コンピュータ読取り可能記憶装置。
【外国語明細書】
2018066745000001.pdf